(57)【要約】【課題】棚支柱側の係合孔の孔形状を工夫し、クリアランスを小さくすることで、係合孔に差し入れる商品陳列棚を支える棚受けの左右振れを防止することが可能であり、棚受けが左右に振れて位置が定まらないため、棚受けの位置を気にしながら商品陳列棚を載せなければならないため作業性が悪いという事態を招くことがないものである。【解決手段】冷却される庫内に取り付けられた棚支柱に係合孔９を形成し、陳列棚の棚受けをその後部に形成した係止突起１１を前記係合孔９に係止することで着脱自在に取り付けるショーケースの棚構造において、前記係合孔９は下半部を前記係止突起１１の厚さと近似した幅に狭めた。【選択図】        図１
2011250991.tif 000002
【特許請求の範囲】
【請求項１】
冷却される庫内に取り付けられた棚支柱に係合孔を形成し、陳列棚の棚受けをその後部に形成した係止突起を前記係合孔に係止することで着脱自在に取り付けるショーケースの棚構造において、前記係合孔は下半部を前記係止突起の厚さと近似した幅に狭めたことを特徴とするショーケースの棚構造。
【請求項２】
通常の幅から係合孔幅を狭める際、面取りやＲ付けを設けた請求項１記載のショーケースの棚構造。
【請求項３】
係合孔は、下側１／２を狭めるが、狭める方向を係合孔１つおきに左右逆とする請求項１または請求項２記載のショーケースの棚構造。
【請求項４】
係合孔の幅を狭める際に除々に変化させる請求項１記載のショーケースの棚構造。
【発明の詳細な説明】
【技術分野】
【０００１】
本発明は、スーパーマーケットなどに設置されるショーケースの棚構造に関するものである。
【背景技術】
【０００２】
冷凍冷蔵ショーケースを代表する多段式オープンショーケースは、下記特許文献にもあるが、図７に示すように、前面に商品出入用の開口２を有する断熱壁で形成されるショーケース本体１の内部を仕切板３で区画して、ショーケース本体１内を商品収納庫４と冷気循環ダクト５とに形成し、冷気循環路内に冷却器と冷気循環用の送風機とが配設されている。図７はショーケース本体１から側板を取り除いた状態で示している。
【特許文献１】特開２００１−２７５７９７号公報
【０００３】
前記商品収納庫４内には複数段に商品陳列棚７が配設され、この商品陳列棚７は、棚受け１０で支持され、商品収納庫４内の背面側に設けてある棚支柱8に縦方向に適宜間隔で係合孔９を複数個穿設し、この係合孔９に係止する。
【０００４】
前記棚受け１０は略三角形状の平板で形成され、後部に係合孔９に係止する係止突起１１が複数個、図示の例では３個突設してあり、各係止突起１１には係合孔９との係止位置を調整するための切欠き１１ａを適宜数形成してある。なお、３個突設の係止突起１１は略三角形状の平板の後端に切り欠き形成したものである。
【０００５】
そして、送風機によって冷気循環ダクト５内に吸い込まれ、冷却器によって冷却された冷気は、上方の吹出口６から吹き出され、開口２に冷気エアカーテンを形成して商品収納庫４内の商品陳列棚７の上に載置してある商品を保冷するとともに、外気が開口２から商品収納庫４内に侵入することを阻止する。
【発明の開示】
【発明が解決しようとする課題】
【０００６】
前記棚支柱８に縦方向に適宜間隔で設ける係合孔９は、図５にも示すように縦長の矩形の孔であるが、商品陳列棚７を支える棚受け１０を棚支柱８の係合孔９に取り付けた際、棚受け１０の係止突起１１を差込み易くするため、係合孔９と係止突起１１の板厚との差としてクリアランスａが確保されている。
【０００７】
その結果、図６に示すように、このクリアランスａによって棚受が左右に振れるという事態を招いていた。
【０００８】
商品陳列棚７の棚位置変更や角度変更を行う場合、両手で商品陳列棚７を保持して棚受け１０に載せることになるが、棚受け１０が左右に振れて位置が定まらないため、棚受け１０の位置を気にしながら商品陳列棚７を載せなければならないため作業性が悪い。
【０００９】
本発明は前記不都合を解消し、棚支柱側の係合孔の孔形状を工夫し、クリアランスを小さくすることで、係合孔に差し入れる商品陳列棚を支える棚受けの左右振れを防止することが可能であるショーケースの棚構造を提供することにある。
【課題を解決するための手段】
【００１０】
前記目的を達成するため請求項１記載の本発明は、冷却される庫内に取り付けられた棚支柱に係合孔を形成し、陳列棚の棚受けをその後部に形成した係止突起を前記係合孔に係止することで着脱自在に取り付けるショーケースの棚構造において、前記係合孔は下半部を前記係止突起の厚さに近似した幅に狭めたことを要旨とするものである。
【００１１】
請求項１記載の本発明によれば、係合孔形状の一部分のクリアランスを小さくすることで、差込易さを確保し、取付用部材を増やすことなく左右振れを防止することができる。
【００１２】
請求項２記載の本発明は、通常の幅から係合孔幅を狭める際、面取りやＲ付けを設けたことを要旨とするものである。
【００１３】
請求項２記載の本発明によれば、面取りやＲ付けを設けることで、通常の幅から係合孔幅を狭める際、差込難さが無いようにすることができる。
【００１４】
請求項３記載の本発明は、係合孔は、下側１／２を狭めるが、狭める方向を係合穴１つおきに左右逆とすることを要旨とするものである。
【００１５】
請求項３記載の本発明によれば、狭める方向を係合孔１つおきに左右逆とすることで、少しは左右振れを生じるとしても、これを互い違いにして、安定性を向上させることができる。
【００１６】
請求項４記載の本発明は、係合孔の幅を狭める際に除々に変化させることを要旨とするものである。
【００１７】
請求項４記載の本発明によれば、係合孔の幅を狭める際に除々に変化させることでも、通常の幅から係合孔幅を狭める際、差込難さが無いようにすることができる。
【発明の効果】
【００１８】
以上述べたように本発明のショーケースの棚構造は、棚支柱側の係合孔の孔形状を工夫し、クリアランスをなるべく小さくすることで、係合孔に差し入れる商品陳列棚を支える棚受けの左右振れを防止することが可能であり、棚受けが左右に振れて位置が定まらないため、棚受けの位置を気にしながら商品陳列棚を載せなければならないため作業性が悪いという事態を招くことがないものである。
【発明を実施するための最良の形態】
【００１９】
以下、図面について本発明の実施形態を詳細に説明する。図１は本発明のショーケースの棚構造の第１実施形態を示す説明図で、商品収納庫４内の背面側に設けてある棚支柱８に縦方向に適宜間隔で係合孔９と棚受け１０の係止突起１１との関係を示すものである。
【００２０】
ショーケースの全体構造や、商品陳列棚７を支える棚受け１０の構造や棚支柱８の説明は前記従来例と同じであるので、説明を省略する。
【００２１】
本発明は、係合孔９は下半部を前記係止突起１１の厚さになるべくクリアランスが生じないように近似した幅に狭めた隘狭部９ａとした。
【００２２】
この隘狭部９ａは、係合孔９の上半分（１／２）を通常幅とし、下半分（１／２）の両サイドを削るような形で形成し、通常の幅から係合孔幅を狭める際、面取り９ｂやＲ付け９ｃを設けるものとする。
【００２３】
このようにして、商品陳列棚７を支承する棚受け１０は、後部に突設した係止突起１１を棚支柱８の係合孔９に差し入れることにより、棚支柱８に掛止するが、差し入れ時には、通常幅の上半分（１／２）を利用して差し入れ易くなっており、差し入れ後、そのまま、隘狭部９ａに落とし込むことで、図４に示すように、棚支柱８に対する棚受け１０の左右振れを極力少なくすることができる。
【００２４】
前記面取り９ｂやＲ付け９ｃの存在は、通常の幅の上半部から隘狭部９ａへの落とし込みをスムーズに行えるものとなる。
【００２５】
係止突起１１は切欠き１１ａを係合孔９０に引っ掛けることで、係止位置を固定することができる。
【００２６】
図２は本発明の第２実施形態を示すもので、隘狭部９ａは、係合孔９の上半分（１／２）を通常幅とし、下半分（１／２）を隘狭部９ａとする点は前記第１実施形態と同じであるが、隘狭部９ａの形成は片側サイドのみを削るような形で形成した。
【００２７】
そして、このように係合孔９の下側１／２を狭めるのに、上下に並ぶ係合孔９は狭める方向を１つおきに左右逆とした。
【００２８】
なお、通常の幅から係合孔幅を狭める際、面取り９ｂやＲ付け９ｃを設けるのは前記第１実施形態と同じである。
【００２９】
図３は本発明の第３実施形態を示すもので、係合孔９の幅を狭めて隘狭部９ａを形成するのに、面取り９ｂやＲ付け９ｃを設けることなく、除々にテーパー状に狭めるように変化させた。
【００３０】
このようにしても、係合孔９の最下端では係止突起１１の厚さとなるべくクリアランスが生じないように近似した幅に狭めた隘狭部９ａとなり、棚受け１０の左右振れを防止することが可能となる。
【００３１】
また、前記面取りやＲ付けの存在なしに、通常の幅の上半部から隘狭部９ａへの落とし込みをスムーズに行えるものとなる。
【図面の簡単な説明】
【００３２】
【図１】本発明のショーケースの棚構造の第１実施形態を示す説明図である。
【図２】本発明のショーケースの棚構造の第２実施形態を示す説明図である。
【図３】本発明のショーケースの棚構造の第３実施形態を示す説明図である。
【図４】本発明のショーケースの棚受け構造の効果を示す説明図である。
【図５】従来例を示す説明図である。
【図６】従来例での棚受けの左右振れを示す説明図である。
【図７】ショーケースの全体を示す斜視図である。
【図８】ショーケースの棚受け部分の斜視図である。
【符号の説明】
【００３３】
１  ショーケース本体            ２  商品出入用の開口
３  仕切板                      ４  商品収納庫
５  冷気循環ダクト
６  吹出口                      ７  商品陳列棚
８  棚支柱                      ９  係合孔
９ａ  隘狭部                    ９ｂ  面取り
９ｃ  Ｒ付け
１０  棚受け                    １１  係止突起
１１a  切欠き
【図１】
2011250991.tif 000003
【図２】
2011250991.tif 000004
【図３】
2011250991.tif 000005
【図４】
2011250991.tif 000006
【図５】
2011250991.tif 000007
【図６】
2011250991.tif 000008
【図７】
2011250991.tif 000009
【図８】
2011250991.tif 000010